(57)【要約】  【課題】本発明は、デュエット指定表示機能を備えるカラオケシステムに関し、デュエット曲を選曲する際にデュエット相手を容易かつ効率的に指定可能し、デュエットの歌唱者を事前に特定可能とすることを目的とする。  【解決手段】システムログイン時に利用者ＩＤをＩＤ読取部３９が取得して対応する利用者情報を利用者情報取得手段４５で取得しておき、デュエット相手指定手段５４において、所定の利用者がデュエット曲を選曲予約する際、現にログインしている当該利用者以外の総ての利用者の利用者ＩＤを候補として特定し、表示制御手段５１が選曲者及びデュエット対象者の所定の利用者情報を、指定予約させるために表示させ、又は予約された楽曲に付加して表示させ、又は演奏中の当該楽曲に付加して表示させ、又は歌唱された当該楽曲に付加して表示させる構成とする。  【選択図】  図２
2008191185.tif 000002
【特許請求の範囲】
【請求項１】
利用者に対して利用者ＩＤに関連づけて利用者情報が登録されている利用者情報格納手段にアクセス自在であり、楽曲の指定予約を管理し、予約状況を表示する機能を少なくとも備え、デュエット指定表示機能を備えるカラオケシステムであって、
楽曲格納手段、利用者ＩＤ取得手段、利用者情報取得手段、デュエット相手指定手段及び表示制御手段を有し、
前記楽曲格納手段は、少なくともデュエット曲であるか否かの付随情報が含まれる所定数の楽曲データを格納し、
前記利用者ＩＤ取得手段は、利用者のシステムログイン時に利用者ＩＤを取得し、
前記利用者情報取得手段は、前記利用者ＩＤ取得手段により取得した利用者ＩＤに基づいて、前記利用者情報格納手段より対応の利用者情報を取得し、
前記デュエット相手指定手段は、所定の利用者がデュエット曲を選曲予約する際、現にシステムログインしている当該利用者以外のすべての利用者の利用者ＩＤを候補として特定し、
前記表示制御手段は、選曲者及びデュエット対象者の上記特定した所定の利用者情報を、指定予約させるために表示させ、又は予約された楽曲に付加して表示させ、又は演奏中の当該楽曲に付加して表示させ、又は歌唱された当該楽曲に付加して表示させる、
ことを特徴とするデュエット指定表示機能を備えるカラオケシステム。
【請求項２】
請求項１記載のデュエット指定表示機能を備えるカラオケシステムであって、前記デュエット相手指定手段は、所定の利用者がデュエット曲を選曲予約する際、現にシステムログインしている当該利用者とは異なる性別の利用者の利用者ＩＤを候補として特定することを特徴とするデュエット指定表示機能を備えるカラオケシステム。
【発明の詳細な説明】
【技術分野】
【０００１】
本発明は、楽曲の予約指定及び予約楽曲の表示を行うデュエット指定表示機能を備えるカラオケシステムに関する。
【背景技術】
【０００２】
近年、カラオケシステムにおいても高機能化が進み、カラオケシステム利用時に予約された楽曲を誰が歌唱するかをも知らしめる機能をも想到されてきている。歌唱楽曲にはデュエット曲も多数存在して歌唱する利用者も少なくない。そのため、デュエット曲のデュエット相手をも容易かつ効率的に指定可能とし、楽曲を指定した利用者はもちろん、デュエット相手をも特定できることが望まれる。
【０００３】
従来、カラオケ利用者に対して利用者情報が登録管理され、利用者に少なくとも利用者ＩＤが記憶されているＩＤカードを所持させてカラオケシステムにログインさせるときに当該ＩＤカードから利用者ＩＤを取得して、当該利用者ＩＤから例えば顔写真（イメージ情報）を利用者情報を読み出して表示させることも実用化されている。例えば、利用者ＩＤに関連づけて楽曲を予約すると顔写真などで誰が選曲したかを表示させることが以下の特許文献で提案されている。
【０００４】
【特許文献１】特開平１０−２４０２７４号公報
【０００５】
上記特許文献１では、リモコンで選曲入力している利用者の顔を自動的に撮影しておき、予約リストを表示する際に、撮影された利用者の顔をそのとき予約されたカラオケ曲の曲名と一緒に表示することが提案されている。
【発明の開示】
【発明が解決しようとする課題】
【０００６】
ところで、カラオケ利用における歌唱楽曲にはデュエット曲も存在するが、デュエット曲のように複数の歌唱者が必要な場合であっても予約登録はあくまでも一人であり、誰と誰とが歌唱するのか事前に知ることはできず、上記特許文献１のように予約リストに顔写真を表示させてもデュエット相手を事前に知ることはできない。このようなデュエットに関して予約や歌唱者の表示を行うシステムは存在しない。
【０００７】
そこで、本発明は上記課題に鑑みなされたもので、デュエット曲を選曲する際にデュエット相手を容易かつ効率的に指定可能し、デュエットの歌唱者を事前に特定可能とするデュエット指定表示機能を備えるカラオケシステムを提供することを目的とする。
【課題を解決するための手段】
【０００８】
上記課題を解決するために、請求項１の発明では、利用者に対して利用者ＩＤに関連づけて利用者情報が登録されている利用者情報格納手段にアクセス自在であり、楽曲の指定予約を管理し、予約状況を表示する機能を少なくとも備え、デュエット指定表示機能を備えるカラオケシステムであって、楽曲格納手段、利用者ＩＤ取得手段、利用者情報取得手段、デュエット相手指定手段及び表示制御手段を有し、前記楽曲格納手段は、少なくともデュエット曲であるか否かの付随情報が含まれる所定数の楽曲データを格納し、前記利用者ＩＤ取得手段は、利用者のシステムログイン時に利用者ＩＤを取得し、前記利用者情報取得手段は、前記利用者ＩＤ取得手段により取得した利用者ＩＤに基づいて、前記利用者情報格納手段より対応の利用者情報を取得し、前記デュエット相手指定手段は、所定の利用者がデュエット曲を選曲予約する際、現にシステムログインしている当該利用者以外のすべての利用者の利用者ＩＤを候補として特定し、前記表示制御手段は、選曲者及びデュエット対象者の上記特定した所定の利用者情報を、指定予約させるために表示させ、又は予約された楽曲に付加して表示させ、又は演奏中の当該楽曲に付加して表示させ、又は歌唱された当該楽曲に付加して表示させる、構成とする。
【０００９】
請求項２の発明では、請求項１記載のデュエット指定表示機能を備えるカラオケシステムであって、前記デュエット相手指定手段は、所定の利用者がデュエット曲を選曲予約する際、現にシステムログインしている当該利用者とは異なる性別の利用者の利用者ＩＤを候補として特定する構成である。
【発明の効果】
【００１０】
本発明によれば、システムログイン時に利用者ＩＤを取得して対応する利用者情報を取得しておき、所定の利用者がデュエット曲を選曲予約する際、現にシステムログインしている当該利用者以外の総ての利用者の利用者ＩＤを候補として特定し、選曲者及びデュエット対象者の所定の利用者情報を、指定予約させるために表示させ、又は予約された楽曲に付加して表示させ、又は演奏中の当該楽曲に付加して表示させ、又は歌唱された当該楽曲に付加して表示させる構成とすることにより、デュエット曲を選曲する際にデュエット相手を容易かつ効率的に指定させることができ、デュエットの歌唱者を事前に特定させることができるものである。
【発明を実施するための最良の形態】
【００１１】
以下、本発明の最良の実施形態を図により説明する。
図１に、本発明に係るデュエット指定表示機能を備えるカラオケシステムを位置付ける構成説明図を示す。図１（Ａ）は通信ネットワークを使用して本システムを構成させた場合のネットワーク模式図、図１（Ｂ）はホスト装置の概要ブロック構成図、図１（Ｃ）は顧客データベースの説明図である。図１（Ａ）において、ホスト装置１１はデュエット指定表示機能を備えるカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１２】
ホスト装置１１は、図１（Ｂ）に示すように、少なくとも送受信手段２１、制御手段２２、データ処理手段２３及び利用者情報格納手段である顧客データベース（ＤＢ）２４を備える。少なくとも当該顧客ＤＢ２４と上記カラオケ演奏端末１３とにより本発明のデュエット指定表示機能を備えるカラオケシステムを構成する。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。上記制御手段２２は、当該ホスト装置１１を統括的に制御するもので、例えば物理的なＣＰＵであり、図示しないＲＯＭに格納されているプログラムのアルゴリズム処理を行う。
【００１３】
上記データ処理手段２３は、顧客ＤＢ２４に対して所定のデータを抽出し、変更し、若しくは追加する処理を行うプログラムであり、図示しないＲＡＭに展開されて実行される。上記顧客ＤＢ２４は、利用者毎に利用者ＩＤで管理される利用者情報が登録されたデータベースであり、一例として図１（Ｃ）に示すように、利用者ＩＤ、氏名、セカンドネーム、住所、電話、年齢、性別、職業、登録者の顔写真等のイメージファイル名が関連付けられ、当該イメージデータは当該顧客ＤＢ２４中に記憶されているものである。
【００１４】
続いて、図２に、本発明のデュエット指定表示機能を備えるカラオケシステムに係るカラオケ演奏端末のブロック構成図を示す。図２において、カラオケ演奏端末１３は、カラオケ本体３２と、当該カラオケ本体３２に有線若しくは無線で接続される表示部３３、ミキシングアンプ３４、第１マイク３５Ａ、第２マイク３５Ｂ、スピーカ３６、遠隔入出力端末３７及びＩＤ読取部３９を備え、また、通信ネットワーク１２を介してホスト装置１１に対して楽曲データ又は更新楽曲データ等や利用者情報等のデータ授受自在に接続される。
【００１５】
ここで、遠隔入出力端末３７は、その構成を省略するが、ユーザインタフェース機能を備えて対応のカラオケ本体３２（後述の送受信部５２）に対して有線方式ないし無線方式（ＩＲ方式やブルートゥース（登録商標）機構のピコネット接続方式など）を利用してデータ授受を行うためのもので、そのための回路基板およびプログラムを備えると共に、利用者に楽曲を選択させる楽曲検索手段３８のプログラムを備える。上記ユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１６】
また、利用者ＩＤ取得手段であるＩＤ読取部３９は、利用者が所持するＩＤ媒体４０から利用者によるカラオケ演奏端末１３（システム）に対するログイン要求に応じて、例えば当該ＩＤ媒体４０より利用者ＩＤを取得する電子回路及びプログラムであり、取得した利用者ＩＤは一旦、後述のＲＡＭ４４に記憶される。当該ＩＤ媒体４０は、少なくとも利用者ＩＤを記憶し、上記ＩＤ読取部３９と例えば非接触でデータ授受が自在のものである。ＩＤ媒体４０としては、例えば、非接触型のＩＣカードや、携帯電話や小型モバイルコンピュータに内蔵させたＩＣカード機能回路等がある。
【００１７】
上記カラオケ本体３２は、バス４１、中央制御部４２、ＲＯＭ４３、ＲＡＭ４４、利用者情報取得手段４５、楽曲ＤＢ（楽曲データベース）４６、映像ＤＢ４７、音楽曲出力部４８、再生制御部４９、予約管理手段５０、表示制御手段５１、送受信部５２，５３及びデュエット相手指定手段であるデュエットパートナー指定手段５４を適宜備える。当該デュエットパートナー指定手段５４は利用者ＩＤ特定手段５５を備える。ここでは、図示しないが、カラオケ本体３２に歌唱採点手段及び歌唱録音部、歌唱録画部を備えさせてもよい。なお、上記各構成について、本発明の要旨と直接関連しない要素部分であっても、従前のカラオケ装置においても大部分が適用可能であることを示すために、装置全体を説明する。
【００１８】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、種々のプログラムを展開、実行させるための作業領域としての役割をなすもので、例えば半導体メモリで構成され、仮想的にハードディスク上に構築される場合をも含む概念である。上記利用者情報取得手段４５は、ログイン時に取得した利用者ＩＤに基づいて、送受信部５３から通信ネットワーク１２を介してホスト装置１１にアクセスして顧客ＤＢ２４より対応の利用者情報を取得するプログラムであり、ＲＡＭ４４に展開されて実行される。
【００１９】
上記楽曲ＤＢ４６は、演奏データ（ＭＩＤＩ（登録商標）データ）及び歌詞テロップデータが同期されて構成される楽曲データ（ファイル）について楽曲コードをファイル名としてそれぞれ格納したデータベースであり、当該楽曲データには楽曲名、デュエット曲であるか否かなどの付随情報が含まれる。演奏データはそれぞれの楽曲の演奏をデジタル的に表現したデータであり、歌詞テロップデータは演奏データに同期された楽曲の歌詞文字データである。上記映像ＤＢ４７は、演奏される楽曲に対応した背景映像が、当該楽曲の楽曲コードに対応した映像ファイルとして所定数格納したデータベースである。
【００２０】
上記音楽曲出力部４８は、楽曲コードで楽曲ＤＢ４６より抽出された演奏データをデジタル再生し、アナログ変換してミキシングアンプ３４に出力する電子回路である。当該ミキシングアンプ３４は、第１マイク３５Ａ及び第２マイク３５Ｂより入力した歌唱者の歌唱音声と、当該音楽曲出力部４８より送られてくる演奏データをミキシングし、増幅してスピーカ３６より出力させるものである。
【００２１】
上記再生制御部４９は、演奏時に、楽曲ＤＢ４６より抽出された楽曲データのうちの歌詞テロップデータ（歌詞文字データ）を当該楽曲の演奏データに同期させて表示部３３に出力する電子回路である。当該表示部３３としては例えば、ブラウン管（ＣＲＴ）ディスプレイ、液晶ディスプレイ（ＬＣＤ）、プラズマディスプレイ（ＰＤＰ）等がある。
【００２２】
上記予約管理手段５０は、利用者が遠隔入出力端末３７の楽曲検索手段３８を用いて、利用者ＩＤに対応付けて楽曲を選択したときに、当該利用者ＩＤに関連づけて選択された楽曲コード、楽曲名及び選曲者の顔写真（イメージ）を予約待ち行列に記憶して管理するプログラムであり、ＲＡＭ４４に展開されて実行される。なお、楽曲選択や予約待ち行列の表示を当該遠隔入出力端末３７だけでなく、表示部３３に表示させてもよく、また、表示部３３のみに表示させてもよい。ここでは、表示部３３に表示させる場合として説明する。
【００２３】
ここで相前後するが、上記デュエットパートナー指定手段５４は、所定の利用者がデュエット曲を選曲予約する際、現にシステムログインしている当該利用者以外の総ての利用者の利用者ＩＤを利用者ＩＤ特定手段５５で候補として特定するプログラムであり、ＲＡＭ４４に展開されて実行される。
【００２４】
上記表示制御手段５１は、詳細は後述するが、選曲者及びデュエット対象者の上記特定した所定の利用者情報を、指定予約させるために表示させ、又は予約された楽曲に付加して表示させ、又は演奏中の当該楽曲に付加して表示させ、又は歌唱された当該楽曲に付加して表示させるプログラムであり、ＲＡＭ４４に展開されて実行される。
【００２５】
上記送受信部５２は、遠隔入出力端末３７との間で有線方式ないし無線方式（ＩＲ方式やブルートゥース（登録商標）機構のピコネット接続方式など）を利用してデータ授受を行うためのもので、そのための回路基板およびプログラムを備える。上記送受信部５３は、上記ホスト装置１１と通信ネットワーク１２を介してデータ授受を行うためのもので、通信方式と整合性をとるための例えば物理的な通信用回路やプラットフォーム等のソフトウエアにより構成されるものである。
【００２６】
なお、図示しないが、当該カラオケ本体３２には演奏楽曲、歌唱音声に対する種々の調節を行うボタンやツマミ類が可変抵抗器等の電子素子に直結された操作パネルも接続され、当該操作パネルはエコーや左右バランス、スピーカ３６からの出力音量のボリウム等を備える。
【００２７】
そこで、図３に本発明に係るデュエット指定表示機能を備えるカラオケシステムにおけるデュエット指定の処理フローチャートを示すと共に、図４に図３のデュエット指定の説明図を示す。図３（Ａ）は利用者ＩＤ取得のフローチャート、図３（Ｂ）はデュエット指定予約登録の処理フローチャート、図４（Ａ）は楽曲指定画面、図４（Ｂ）はデュエット相手の指定画面である。
【００２８】
図３（Ａ）において、カラオケ本体３２（システム）へのログイン要求に対して利用者が利用者ＩＤをＩＤ媒体４０でＩＤ読取部３９に読み取らせることにより当該利用者ＩＤが取得される（ステップ（Ｓ１））。利用者がグループの場合には総ての利用者の利用者ＩＤが同様に取得される。取得された利用者ＩＤは一旦ＲＡＭ４４の所定領域に記憶される。
【００２９】
そして、利用者情報取得手段４５が、送受信部５３から通信ネットワーク１２を介してホスト装置１１の顧客ＤＢ２４より総ての利用者ＩＤに対応する氏名（セカンドネーム）、性別及びイメージ（ファイル）などの利用者情報（ここでは氏名（セカンドネーム）、性別、イメージファイルとする）を取得し、例えばＲＡＭ４４の所定領域に記憶させておくものである（Ｓ２）。
【００３０】
続いて、図３（Ｂ）において、デュエット指定予約登録に関して、例えば遠隔入出力端末３７から所定の利用者による利用者ＩＤに基づく選曲画面を表示部３３に表示させる（Ｓ１１）。ここでは、当該遠隔入出力端末３７の表示画面については省略する。そして、表示された楽曲がデュエット対象曲である場合には（Ｓ１２）、表示制御手段５１が、図４（Ａ）に示すように、選曲画面にデュエット指定ボタンの表示を含めた楽曲内容の表示ファイルを作成して表示部３３に表示させる（Ｓ１３）。
【００３１】
続いて、選曲者により、デュエット指定ボタンが選択されると（Ｓ１４）、デュエットパートナー指定手段５４における利用者ＩＤ特定手段５５が、現にシステムログインしている選曲者以外の総ての利用者の利用者ＩＤに対応する氏名（セカンドネーム）、性別、イメージを利用者情報取得手段４５から特定し、当該利用者情報に基づき、表示制御手段５１が、図４（Ｂ）に示すように、当該選曲者の顔写真（イメージ）及び氏名の表示と共に、当該利用者情報をデュエット相手として例えば性別が選択されることで顔写真（イメージ）又は氏名（セカンドネーム）を指定させるための表示ファイルを作成して表示部３３に表示させる（Ｓ１５）。
【００３２】
図４に示す画面において、デュエット指定がなされて（Ｓ１６）、図４（Ａ）の楽曲の指定画面に戻り、画面表示された選曲が確定（予約ボタンの選択）されると（Ｓ１７）、予約管理手段５０の予約待ち行列に、選曲が確定された楽曲及び選曲者を含むデュエット指定された利用者情報を関連付けて登録するものである（Ｓ１８）。
【００３３】
一方、図４（Ａ）の楽曲の指定画面において、当該楽曲がデュエット曲でない場合には（Ｓ１３）、デュエット指定ボタンは表示されず、また、図４（Ｂ）においてデュエット指定ボタンが選択されなかった（戻るボタン若しくは取消ボタン）場合には、図４（Ａ）の表示画面に戻り、画面楽曲が指定されることで予約管理手段５０の予約待ち行列に、選曲が確定された楽曲及び上記利用者情報を関連づけられて登録される（Ｓ１８）。なお、図４（Ａ）に示す楽曲の指定画面において指定（予約）がされなかった場合には、画面の戻り表示とされるが、処理としてはＳ１１からの手順が繰り返されることとなるものである。
【００３４】
ここで、図５に、デュエット指定に対する予約楽曲表示の説明図を示す。図５において、所定の利用者により予約楽曲の表示要求があると、予約管理手段５０に登録されている楽曲と歌唱者の顔写真が関連づけられている予約待ち行列を表示制御手段５１が取得し、例えば予約楽曲リストとして図のような表示ファイルを作成して表示部３３等に表示させる。すなわち、図５に示すように、予約楽曲リスト画面には、順番に楽曲名と選曲者の顔写真が表示されもので、単独歌唱には選曲者のみの顔写真、予約楽曲がデュエット曲の場合には選曲者とデュエット指定された利用者との顔写真が並んで表示されるものである。
【００３５】
このように、選曲楽曲がデュエット対象曲の場合にはデュエット相手を選択させることから当該デュエット相手を容易かつ効率的に指定させることができ、予約されている楽曲と歌唱者の顔写真が関連づけられて予約待ち行列に登録されて表示されることからデュエットの歌唱者を事前に特定させることができるものである。
【００３６】
なお、デュエット曲の演奏中（歌唱中）に、表示制御手段５１が表示部３３の表示内容に氏名（セカンドネーム）、顔写真（イメージ）を表示部３３に表示させることとしてもよい。また、カラオケ本体３２に、歌唱録音部や歌唱録画部を備えさせた場合には、歌唱後の録音対象、録画対象の歌唱者を、利用者ＩＤ特定手段５５が特定し、表示制御手段５１が氏名（セカンドネーム）、顔写真（イメージ）を表示部３３に表示させることとしてもよいものである。
【００３７】
次に、図６に、本発明に係るデュエット指定表示機能を備えるカラオケシステムのデュエット指定の他の説明図を示す。図６（Ａ）はデュエット指定のうちの要部の処理フローチャート、図６（Ｂ）はデュエット指定の説明図である。ここで、上記デュエットパートナー指定手段５４の利用者ＩＤ特定手段５５は、デュエット対象者を特定するにあたり、デュエット指定に対して現にシステムログインしている選曲者の性別とは異なる性別の利用者を利用者ＩＤで特定するものである。
【００３８】
図６（Ａ）において、図４（Ａ）の楽曲指定画面においてデュエット指定ボタンが選択されると（Ｓ２１）、現にシステムログインしている利用者のうち選曲者の性別と異なる性別の利用者ＩＤに対応する氏名（セカンドネーム）、イメージを利用者情報取得手段から特定し、表示制御手段５１が当該利用者情報の性別の選曲者のデュエット相手として指定させる表示ファイルを作成して、図６（Ｂ）に示すように、表示部３３に表示させる（Ｓ２２）。すなわち、図６（Ｂ）では、上記図４（Ｂ）と異なり性別を指定する表示がなされない。
【００３９】
そして、デュエット指定されて画面楽曲が指定されたときに、予約管理手段５０の予約待ち行列に、予約指定された楽曲及び選曲者を含む適宜デュエット指定された利用者のイメージを関連付けて登録するものである（Ｓ２３）。
【００４０】
このように、デュエット相手の性別を選曲者に指定させないことから、デュエット曲を選曲する際にデュエット相手をより容易かつ効率的に指定させることができ、デュエットの歌唱者を事前に特定させることができるものである。
【産業上の利用可能性】
【００４１】
本発明のデュエット指定表示機能を備えるカラオケシステムは、少なくとも楽曲の予約指定及び予約楽曲の表示を行うカラオケシステム全般に利用可能である。
【図面の簡単な説明】
【００４２】
【図１】本発明に係るデュエット指定表示機能を備えるカラオケシステムを位置付ける構成説明図である。
【図２】本発明のデュエット指定表示機能を備えるカラオケシステムに係るカラオケ演奏端末のブロック構成図である。
【図３】本発明に係るデュエット指定表示機能を備えるカラオケシステムにおけるデュエット指定の処理フローチャートである。
【図４】図３のデュエット指定の説明図である。
【図５】デュエット指定に対する予約楽曲表示の説明図である。
【図６】本発明に係るデュエット指定表示機能を備えるカラオケシステムのデュエット指定の他の説明図である。
【符号の説明】
【００４３】
１１            ホスト装置
１３            カラオケ演奏端末
２４            顧客ＤＢ
３２            カラオケ本体
３３            表示部
３５            マイク
３９            ＩＤ読取部
４５            利用者情報取得手段
５０            予約管理手段
５１            表示制御手段
５４            デュエットパートナー指定手段
５５            利用者ＩＤ特定手段
【図１】
2008191185.tif 000003
【図２】
2008191185.tif 000004
【図３】
2008191185.tif 000005
【図４】
2008191185.tif 000006
【図５】
2008191185.tif 000007
【図６】
2008191185.tif 000008